(57)【特許請求の範囲】
【請求項１】
ガス管が接続されるガス通路が内設されたガス導入管と、前記ガス管が接続される前の前記ガス通路に挿入されるガス栓とを含んでなるガス導入管の閉栓構造であって、
前記ガス通路内への前記ガス栓の挿入位置が、前記ガス栓の栓本体の端面が前記ガス通路の開口よりも奥側となる位置に規定されており、前記栓本体には、前記ガス通路の開口に向けて突出する引き抜き棒が形成されて、
前記ガス導入管には、前記引き抜き棒がその軸方向へ相対移動可能且つ抜け止め状態で貫通される被貫通部を長手方向の中央に有する帯状の押さえ板がネジ止めされて、前記被貫通部は、前記押さえ板のネジ止め状態で前記ガス通路内に突出して前記ガス栓の前記栓本体に当接若しくは近接しており、
前記押さえ板をネジ止めするネジを取り外すと、前記被貫通部が前記引き抜き棒に沿って前記軸方向へ移動可能となり、前記押さえ板は、前記被貫通部の両側が前記ガス導入管から離れて前記ガス導入管との間にスペースが形成される位置まで引き出し可能となることを特徴とするガス導入管の閉栓構造。
【請求項２】
前記押さえ板は、前記引き抜き棒から着脱可能であることを特徴とする請求項１に記載のガス導入管の閉栓構造。
【発明の詳細な説明】
【技術分野】
【０００１】
本発明は、ビルトインコンロ等のガス器具に設けられるガス導入管をガス栓によって閉栓するための閉栓構造に関する。
【背景技術】
【０００２】
ビルトインコンロ等のガス器具においては、製造後の出荷時に、ガス管を接続するガス導入管に異物が侵入しないようにガス導入管が閉栓される。この閉栓構造としては、例えば特許文献１に開示されるように、ガス導入管内に弁体を設けてバネで閉栓するようにしたり、ガス栓をガス導入管に挿入して閉栓したりする構造が知られている。
【先行技術文献】
【特許文献】
【０００３】
【特許文献１】特開２００４−１１６６５３号公報
【発明の概要】
【発明が解決しようとする課題】
【０００４】
上記従来の閉栓構造において、特許文献１の構造ではガス導入管内の弁体等の他、ここに接続するガス管側にも弁体を押し込んで開弁させる弁押棒を設ける必要があり、部品点数が多くなってコストアップとなる。よって、単純にガス栓で閉栓して使用時にはガス栓を取り外すようにする閉栓構造がよく用いられるが、ガス栓を取り外す際、専用の工具を用いて抜き取る必要があり、作業性がよくなかった。
【０００５】
そこで、本発明は、専用の工具を用いなくてもガス栓を簡単に抜き取ることができるガス導入管の閉栓構造を提供することを目的としたものである。
【課題を解決するための手段】
【０００６】
上記目的を達成するために、請求項１に記載の発明は、ガス管が接続されるガス通路が内設されたガス導入管と、ガス管が接続される前のガス通路に挿入されるガス栓とを含んでなるガス導入管の閉栓構造であって、
ガス通路内へのガス栓の挿入位置が、ガス栓の栓本体の端面がガス通路の開口よりも奥側となる位置に規定されており、栓本体には、ガス通路の開口に向けて突出する引き抜き棒が形成されて、ガス導入管には、引き抜き棒がその軸方向へ相対移動可能且つ抜け止め状態で貫通される被貫通部を長手方向の中央に有する帯状の押さえ板がネジ止めされて、被貫通部は、押さえ板のネジ止め状態でガス通路内に突出してガス栓の栓本体に当接若しくは近接しており、
押さえ板をネジ止めするネジを取り外すと、被貫通部が引き抜き棒に沿って軸方向へ移動可能となり、押さえ板は、被貫通部の両側がガス導入管から離れてガス導入管との間にスペースが形成される位置まで引き出し可能となることを特徴とする。
請求項２に記載の発明は、請求項１の構成において、押さえ板は、引き抜き棒から着脱可能であることを特徴とする。
【発明の効果】
【０００７】
請求項１に記載の発明によれば、押さえ板をネジ止めするネジを取り外すだけで、専用の工具を用いなくても押さえ板を利用してガス栓を簡単に抜き取ることができる。
請求項２に記載の発明によれば、請求項１の効果に加えて、押さえ板は、引き抜き棒から着脱可能であるので、ガス導入管の形態に合わせて個別に仕様を変更することができ、汎用性が高まる。また、ガス栓と押さえ板との一方が破損等しても当該一方の交換で対応できる。
【図面の簡単な説明】
【０００８】
【図１】ガス導入部の説明図である（閉栓状態）。
【図２】ガス導入部の分解斜視図である。
【図３】ガス栓の引き抜き状態を示すガス導入部の説明図である。
【発明を実施するための形態】
【０００９】
以下、本発明の実施の形態を図面に基づいて説明する。
図１は、ビルトインコンロの底部に設けたガス導入部の一例を示す説明図である。ガス導入部１において、２は二方向へ分岐される分岐管３，４を有する管体で、一方の分岐管３には、コンロやグリル側へ配管されるガスパイプ５が接続され、ガス導入管となる他方の分岐管４内には、分岐管３に連通するガス通路６が形成されている。分岐管４の突出端部には、フランジ７が形成され、フランジ７の外面には、ガス通路６を中心とする膨出部８が形成されて、膨出部８に嵌合してフランジ７にネジ止めされる取付板９により、分岐管４はビルトインコンロの図示しない器体に固定される。
【００１０】
ガス通路６の開口際には、ガス管をねじ込むための大径の雌ネジ部１０が形成されており、この雌ネジ部１０からガス通路６内に挿入されたガス栓１１によって、ガス通路６は閉塞される。このガス栓１１は、外周に２つのＯリング１３，１３を外装してガス通路６に挿入される真鍮製の栓本体１２と、栓本体１２の端部からガス通路６の開口６ａに向けて同軸で突出する引き抜き棒１４とを有し、栓本体１２の外周には、雌ネジ部１０の底部に係合して挿入位置を規定するフランジ１５が周設されている。また、引き抜き棒１４の突出端は、根元側よりも大径となる頭部１６となっている。
【００１１】
１７は、ガス栓１１の押さえ板で、この押さえ板１７は、長手方向の中央に凸状の被貫通部１８を折曲形成した帯状の金属板で、被貫通部１８には、図２に示すように、被貫通部１８の底中央から一方の側面にかけてＬ字状のスリット１９が形成されている。このスリット１９は、ガス栓１１の引き抜き棒１４の頭部１６の直径よりも小さい幅を有して引き抜き棒１４が貫通可能な幅で形成されているが、側面側のスリット１９の端部には、頭部１６の通過を許容する幅広部２０が形成されている。すなわち、引き抜き棒１４の軸方向で頭部１６の位置を幅広部２０に合わせれば、引き抜き棒１４をスリット１９に出し入れすることができ、引き抜き棒１４が被貫通部１８の底側のスリット１９の端部に位置する状態では、頭部１６によって抜け止めされた状態で押さえ板１７は引き抜き棒１４に対して軸方向へ相対移動可能に連結される。押さえ板１７の長手方向の両端には、ネジ止め用の透孔２１，２１が形成されている。
【００１２】
以上の如く構成された分岐管４の閉栓構造においては、工場出荷時には、図１に示すように、引き抜き棒１４に押さえ板１７を貫通させたガス栓１１を、フランジ１５が雌ネジ部１０の底部に当接するまでガス通路６に押し込み、この状態で押さえ板１７の両端を透孔２１，２１を介してネジ２２，２２によって膨出部８にネジ止めする。すると、膨出部８に固定された押さえ板１７の被貫通部１８が雌ネジ部１０内に突出してガス栓１１の栓本体１２の端面に近接或いは当接する。よって、ガス栓１１は押さえ板１７によって抜け止めされ、分岐管４が閉栓される。この状態で引き抜き棒１４は被貫通部１８を貫通して押さえ板１７の外側まで突出するが、ネジ２２，２２よりは外側へ突出しないため、邪魔になることはない。
【００１３】
そして、ビルトインコンロをキッチンカウンターに設置する際には、ネジ２２，２２を取り外せば、押さえ板１７が引き抜き棒１４に対して軸方向へ移動可能な状態となる。よって、押さえ板１７を外側へ引き出せば、図３に示すように、引き抜き棒１４の頭部１６が被貫通部１８の底に当接するまで分岐管４から離すことができる。そのまま矢印方向へ押さえ板１７の両端を引っ張れば、引き抜き棒１４を介して栓本体１２をガス通路６から引き抜くことができる。
【００１４】
このように、上記形態の分岐管４の閉栓構造によれば、ガス通路６内へのガス栓１１の挿入位置が、栓本体１２の端面がガス通路６の開口６ａよりも奥側となる位置に規定されており、栓本体１２には、開口６ａに向けて突出する引き抜き棒１４が形成されて、分岐管４には、引き抜き棒１４がその軸方向へ相対移動可能且つ抜け止め状態で貫通される被貫通部１８を有する押さえ板１７がネジ止めされて、被貫通部１８は、押さえ板１７のネジ止め状態でガス通路６内に突出して栓本体１２に当接若しくは近接している。
よって、押さえ板１７をネジ止めするネジ２２を取り外すだけで、専用の工具を用いなくても押さえ板１７を利用してガス栓１２を簡単に抜き取ることができる。
【００１５】
特にここでは、押さえ板１７は、引き抜き棒１４から着脱可能であるので、分岐管４の形態に合わせて個別に仕様を変更することができ、汎用性が高まる。また、ガス栓１２と押さえ板１７との一方が破損等しても当該一方の交換で対応できる。
【００１６】
なお、上記形態では、押さえ板の被貫通部を凸状としているが、台形状や円弧状に形成したりしてもよい。押さえ板の形状も帯板状に限らず、四角形状や円盤状等に代えてネジ止め位置を増やすことも可能である。
また、押さえ板に設けるスリットは底部のみで開放するように設けて引き抜き棒の着脱をより簡単にしてもよいし、逆に押さえ板が外れないように引き抜き棒に連結してもよい。
そして、ガス導入管としては上記形態の分岐管に限らず適宜変更可能で、ガス器具も、ビルトインコンロに限らず、テーブルコンロや炊飯器等の調理器具や、給湯器等の給湯器具、ガスストーブやファンヒータ等の暖房器具等にも本発明は適用可能である。
【符号の説明】
【００１７】
１・・ガス導入部、２・・管体、３，４・・分岐管、６・・ガス通路、６ａ・・開口、１０・・雌ネジ部、１１・・ガス栓、１２・・栓本体、１３・・Ｏリング、１４・・引き抜き棒、１５・・フランジ、１６・・頭部、１７・・押さえ板、１８・・被貫通部、１９・・スリット、２０・・幅広部、２１・・透孔、２２・・ネジ。
【図１】
0006715022.tif 000002
【図２】
0006715022.tif 000003
【図３】
0006715022.tif 000004